(57)【特許請求の範囲】
【請求項１】
容器の吐出口へ取付けられ内容物を吐出する口部を備えたキャップ本体と、このキャップ本体の頂面部分に軸支され前記口部を開閉可能な蓋と、前記キャップ本体の頂面から側面に渡って凹設された収納部と、前記収納部の内壁に揺動可能に支持され、下部が押されたとき収納部に収納され前記キャップ本体の側面と面一となるボタンと、前記蓋の回転軸支部側から突設された受け部材と、前記ボタンの上部端に形成され、ボタンの上部が押されたとき前記受け部材を押圧して前記蓋の回転軸支部回りに開放方向のモーメントを発生させる押圧部材と、を有することを特徴とするキャップ。
【請求項２】
前記収納部の内壁に突設された軸体、前記ボタンの側面中央に凹設され、前記軸体と係合する軸孔と、前記ボタンの側面中央に形成され、ボタンを前記キャップ本体に組み付けるとき、前記軸孔を前記軸体へ案内する傾斜面と、を有することを特徴とする請求項１に記載のキャップ。
【請求項３】
前記収納部の内壁に凹設された窪み部と、前記ボタンの側面に形成され、ボタンの下部が前記収納部に押し込まれたとき、前記窪み部と係合する突起と、を有することを特徴とする請求項１又は請求項２に記載のキャップ。
【発明の詳細な説明】
【０００１】
【発明の属する技術分野】
本発明は、容器の吐出口に取付けられるキャップに関する。
【０００２】
【従来の技術】
図９に示すように、胡椒、塩等の調味料等が充填された容器７０の吐出口に嵌められるキャップ７２には、使い勝手を考えて、キャップ本体７４に設けられたボタン７６を押せば蓋７８が開閉する構造が採られている。
【０００３】
このようなキャップ７２が取付けられた容器７０は、ダース単位で梱包されて出荷されるが、キャップ本体７４の側面からボタン７６が突出しているため、ボタン７６同士が当って、不用意に蓋７８が開放する恐れがある。また、容器７０が転倒してボタン７６が作動し、蓋７８が開放することも考えられる。
【０００４】
一方、大量生産が前提となる商品であるため、製造コストの面から、キャップの組み付けが容易であることが要求される。
【０００５】
【発明が解決しようとする課題】
本発明は上記事実を考慮し、蓋が不用意に開放することがなく、また、組み付けが容易なキャップを提供することを課題とする。
【０００６】
【課題を解決するための手段】
請求項１に記載の発明では、口部を備えたキャップ本体が、容器の吐出口へ取付けられ、キャップ本体の頂面部分に軸支された蓋を開け閉めすることによって、口部が開閉される。
【０００７】
このキャップ本体には、頂面から側面に渡って収納部が凹設されている。この収納部の内壁にはボタンが揺動可能に支持されており、ボタンの下部が押されるとボタンは収納部に収納され、キャップ本体の側面と面一となるようになっている。
【０００８】
また、蓋の回転軸支部側から受け部材が突設されている。この受け部材は、ボタンの上部が押されたとき、ボタンの上部端に形成された押圧部材に押圧されて回転軸支部回りに蓋開放方向のモーメントを発生させる。これによって、蓋が回転軸支部を回転中心として開放する。なお、蓋を閉じるときは、蓋を直接手で押し戻すか、又は、ボタンの下部を押せばよい。
【０００９】
この構成では、ボタンの下部が押され収納部に収納されたとき、キャップ本体の側面とボタンが面一となる。このため、容器が倒れてもボタンが押されることがないので、不用意に蓋が開放しない。
【００１０】
請求項２に記載の発明では、収納部の内壁に軸体が突設されており、この軸体にボタンの側面中央に凹設された軸孔が係合して、ボタンが揺動可能に支持される。
【００１１】
このボタンの側面中央には傾斜面が形成されており、ボタンをキャップ本体に組み付けるとき、ボタンの軸孔を軸体へ案内するようになっている。このため、ボタンの組み付けがワンタッチで完了する。
【００１２】
請求項３に記載の発明では、収納部の内壁に窪み部が凹設されている。この窪み部には、ボタンの下部が収納部に押し込まれたとき、ボタンの側面に形成された突起が係合するようになっている。すなわち、突起が窪み部に係合するときのクリック感で、ボタンの下部が収納部に押し込まれ、蓋が閉止されたことを確認できる。
【００１３】
【発明の実施の形態】
図１〜図２に示すように、本形態に係るキャップ１０は、容器１２の吐出口へ取付けられる筒状のキャップ本体１４を備えている。
【００１４】
このキャップ本体１４に形成された雌ねじ部が、容器１２の吐出口回りに形成された雄ねじ部にねじ込まれ、キャップ１０が容器１２に取付けられるようになっている。
【００１５】
キャップ本体１４の頂面１４Ａは、外周縁から中央部に亘って所定の幅で切り下げられて切下面１６とされている。切下面１６には、楕円状の口部１８が開口されており、この口部１８から容器１２に充填された胡椒等が流出する構成である（なお、口部の形状は内容物に応じて決定されるものであり、例えば、塩の場合、多数の円孔が穿設される）。また、切下面１６の中央部側は、さらに段状に切り下げられ、側面１４Ｂに跨がる収納部２０を構成している。
【００１６】
一方、収納部２０の内壁２０Ｂの中央部側には、薄肉で円筒状の軸体２２が突設している。この軸体２２には、蓋２４のフランジ２６に凹設された軸孔２８が回動可能に嵌合されるようになっている。そして、蓋２４を上方からキャップ本体１４へ強く押し込めば、フランジ２６が弾性変形して外側へ拡がり、軸体２２が軸孔２８と嵌合する。
【００１７】
また、蓋２４の肉厚は、切下面１６の深さと同じとされ、且つキャップ本体１４の頂面１４Ａの曲率に合わせて湾曲加工されている。このため、蓋２４を閉じたとき、蓋２４とキャップ本体１４の頂面１４Ａが面一となる。さらに、蓋２４の裏面先端側には、差し込み体３０が形成されており、蓋２４を閉じたとき口部１８と係合して、内容物が漏れないように封止すると共に、口部１８が詰まらないようにしている。
【００１８】
また、蓋２４の裏面基端側には、幅方向に隔壁３２が延設されている。この隔壁３２の下端中央部からは、ばね片３４が基端側へ張り出している。また、隔壁３２の幅方向の両端部からは、一対のリブ３６がばね片３４と間隔をおいて延設している。このリブ３６は、フランジ２６と補強板３８で連結されている。
【００１９】
一方、ボタン４０は、段状の収納部２０に収納できるように、チャンネルをくノ字に曲げたような外形を呈しており、側壁４０Ａの屈曲部には軸孔４２が形成されている。この軸孔４２の近傍には、側壁４０Ａを薄肉とする傾斜面４４が軸孔４２に向かって形成されている。そして、この傾斜面４４を、収納部２０の内壁２０Ｂから突設された軸体４６へ押し当て、ボタン４０を押し込めば、側壁４０Ａが弾性変形して軸孔４２を軸体４６へ案内し、軸孔４２が軸体４６に揺動可能に係合される構成である。このため、ボタン４０をキャップ本体１４に容易に組み付けることができる。
【００２０】
また、ボタン４０の上部側には、鍔板４８が突設している。この鍔板４８の先端部は、図３に示すように、ボタン４０の下部が押し込まれて収納部２０に収納されたとき、蓋２４の基端２４Ａを下から押し上げるような態様で当接している。このため、蓋２４は閉止力を付与され、不用意に開かない。
【００２１】
さらに、ボタン４０の側壁４０Ａの下方には、突起５０が突設されている。この突起５０は、ボタン４０の下部が押し込まれたとき、収納部２０の内壁２０Ｂに凹設された窪み部５２と係合してクリック感を出すと共に、ボタン４０をロックするようになっている。また、このとき、キャップ本体１４の側面１４Ｂとボタン４０の外面が面一となる。このため、容器１２が倒れてもボタン４０が押されることがないので、不用意に蓋２４が開放しない。
【００２２】
また、鍔板４８の下面には、押し部５４が突設されている。この押し部５４は、図４に示すように、ボタン４０の上部に凹設された円形の操作部５８を押すと、ボタン４０が揺動して押し部５４が蓋２４のばね片３４を撓ませながら押し下げるようになっている。さらに、鍔板４８には、突片５６が突設されており、ばね片３４とリブ３６との間に入り込んで、ボタン４０を位置決めする。
【００２３】
次に、本形態に係るキャップの作用を説明する。
図３に示すように、蓋２４が閉止している状態では、鍔板４８の先端部が、蓋２４の基端２４Ａを下から押し上げるような態様で当接しているため、蓋２４は閉止力を付与され、不用意に開かない。また、このとき、突起５０が窪み部５２と係合しており、ボタン４０が揺動しないようにロックしている。
【００２４】
図４に示すように、ボタン４０の操作部５８を押すと、鍔板４８の先端部が、蓋２４の基端２４Ａを通り過ぎ、押し部５４がばね片３４を押し下げる。これにより、蓋２４に開放方向のモーメントが付与され、次第に開き始める。
【００２５】
図５に示すように、さらにボタン４０の操作部５８を押し込むと、蓋２４の基端２４Ａが鍔板４８の上に乗り上げる。次に、図６〜図７に示すように、押し部５４がばね片３４から離れ、鍔板４８がリブ３６を押し下げることにより、蓋２４をさらに開放させる。
【００２６】
次に、図８に示すように、ボタン４０の操作部５８をさらに押し込むと、押し部５４の奥方に設けられた十字リブ５５が収納部２０の底壁２０Ａに当り、揺動を停止する。このとき、突起５０が収納部２０の角部２０Ｃに係止され、ボタン４０の戻りが阻止される。さらに、蓋２４の基端２４Ａが鍔板４８の上面を滑って隅部４８Ａに当り、且つ止め壁６０に補強板３８が当って、蓋２４の開放動作が停止される。
【００２７】
なお、蓋２４を閉じるときは、ボタン４０の下部を収納部２０に向かって押し戻すか、蓋２４を直接押し倒すことで、鍔板４８が蓋２４の基端２４Ａを押し上げて、蓋２４が閉止される。
【００２８】
【発明の効果】
本発明は上記構成としたので、蓋が不用意に開放することがなく、また、組み付けも容易となる。
【図面の簡単な説明】
【図１】本形態に係るキャップの蓋が閉止している状態を示す斜視図である。
【図２】本形態に係るキャップを示す分解斜視図である。
【図３】本形態に係るキャップの蓋の開閉動作を示す断面図である。
【図４】本形態に係るキャップの蓋の開閉動作を示す断面図である。
【図５】本形態に係るキャップの蓋の開放状態を示す断面図である。
【図６】本形態に係るキャップの蓋の開閉動作を示す断面図である。
【図７】本形態に係るキャップの蓋の開放状態を示す断面図である。
【図８】本形態に係るキャップの蓋の開放状態を示す断面図である。
【図９】従来のキャップを示す斜視図である。
【符号の説明】
１４    キャップ本体
２０    収納部
２４    蓋
３４    ばね片（受け部材）
３６    リブ（受け部材）
４０    ボタン
４２    軸孔
４４    傾斜面
４６    軸体
４８    鍔板（押圧部材）
５０    突起
５２    窪み部
５４    押し部（押圧部材）
【図１】
0004012300.tif 000002
【図２】
0004012300.tif 000003
【図３】
0004012300.tif 000004
【図４】
0004012300.tif 000005
【図５】
0004012300.tif 000006
【図６】
0004012300.tif 000007
【図７】
0004012300.tif 000008
【図８】
0004012300.tif 000009
【図９】
0004012300.tif 000010